(57)【要約】【課題】  ルアーにアクションを付与しやすく、魚の興味をより引き立てることができる、ルアー用のパーツを提供する。  【解決手段】  このパーツは、一般にブレイドと呼ばれるものである。このブレイドは、その長手方向の後端に連結用の孔２が形成される略盾状板からなるブレイド本体１を有し、ブレイド本体１となる略盾状板は表面側に凸であり裏面側に凹となるカップ形状である。その長手方向の断面のカップ形状の湾曲が後端側において深く先端側において浅く、その幅方向の断面のカップ形状の湾曲が左右何れか一方側において深く他方側において浅い。【選択図】      図１
2005210950.tif 000002
【特許請求の範囲】
【請求項１】
魚釣りに用いるルアーを構成するパーツであって、
長手方向の後端に連結用の孔が形成される略盾状板からなるブレイド本体を有し、
前記ブレイド本体となる略盾状板は全体として表面側に凸であり裏面側に凹となる形状であり、その長手方向の断面の湾曲が無く、その幅方向の断面の形状が左右において非対称である、ルアー用パーツ。
【請求項２】
前記ブレイド本体となる略盾状板の長手方向の断面形状は先端側において平坦化している、請求項１に記載のルアー用パーツ。
【請求項３】
前記ブレイド本体の先端側においては、略盾状板の一部が切り落とされた切り欠きが形成されている、請求項１または２に記載のルアー用パーツ。
【請求項４】
前記ブレイド本体の切り欠きは幅方向中央ほど深い燕尾型である、請求項３に記載のルアー用パーツ。
【発明の詳細な説明】
【技術分野】
【０００１】
本発明は魚釣りに用いるルアーを構成するパーツ（一般に、ブレイドと呼ばれる）である、盾状の薄板型のパーツに関する。
【背景技術】
【０００２】
近時は、様々なタイプのルアーが提供されている。ルアーのタイプとしては、例えば、プラスチック製のルアー本体を有し水面付近を泳動するプラグ型、金属性のルアー本体を有し水底深く沈降するジグ型、木の葉乃至盾状の薄板型のスプーン型、回転するブレイドを備えるスピナ型などがある。これらの様々なタイプのルアーにおいてその一部を構成するパーツがブレイドである。
【０００３】
ブレイドは、薄板型の金属板を折り曲げ加工などして木の葉乃至盾状のものである（例えば、特許文献１参照）。このブレイドは、スイベル３などに連結されており（図１０参照）、ルアーを水中で泳動させると水流を受けて回転し（図１２参照）、魚の興味を引き立てるのである。このような水中でのブレイドの動きを大きく確実にするために、様々な提案が為されている。例えば、ブレイドのカップの深さを深くし（図１１参照）、カップ内に流れ込む水を有効にブレイドが捕まえるようにすることが考えられる。また、上述の特許文献１では、部分的にブレイドの厚さを変更して、水中でのブレイドの動きに変化を付けている。
【０００４】
このようなブレイドは水中で水流を受けて回転するのであり、水中で大きな抵抗を生じるものである。流れのない湖沼などでの利用であれば不都合はない。しかし、流れのある河川や海洋においてはブレイドの水中での抵抗が、ルアーの動きを阻害する恐れもある。即ち、ユーザは釣糸を巻き上げ若しくは釣竿を振る等してルアーに瞬間的に様々なアクションを付与しようとする。ブレイドの水中での抵抗が大きすぎると、このようなアクションをルアーに付与し難い。
【特許文献１】特開平07-67503号公報
【発明の開示】
【発明が解決しようとする課題】
【０００５】
本発明の課題は、ルアーにアクションを付与しやすく、魚の興味をより引き立てることができる、ルアー用のパーツを提供することにある。
【課題を解決するための手段】
【０００６】
本発明のパーツは、魚釣りに用いるルアーを構成するパーツであって、長手方向の後端に連結用の孔が形成される略盾状板からなるブレイド本体を有し、ブレイド本体となる略盾状板は全体として表面側に凸であり裏面側に凹となる形状であり、その長手方向の断面の形状の湾曲が無く若しくは殆ど湾曲しておらず、その幅方向の断面の形状が左右において非対称である。
【０００７】
このパーツは、例えば、スピナ型のルアーのブレイド等として利用されるものである。スピナ型のルアーにおいては、連結用の孔にスイベル等を介してワイヤ部などにこのパーツが回転自在に連結される。水中に投じられた後に、ワイヤ部に連結した釣糸を引き若しくは巻き上げてルアーを泳動させると、ブレイドの長手方向の後端側（孔が形成されている側）から水がブレイド本体に流れ込む。長手方向の断面の形状の湾曲は無く若しくは殆ど湾曲しておらず、ブレイド本体の裏面側に流れ込んだ水はスムーズに長手方向に於いては流れ出す。他方、幅方向の断面の形状は、左右何れか一方側で水を良く掴み、左右何れか他方側では水を受け流すなど、左右それぞれにおいて回転方向への力を不均衡に生じさせる。
【０００８】
ここでは、幅方向の断面の形状は、幅方向に於いて全体的に曲面化する必要はない。例えば、幅方向の一部において角度を付けて折り曲げて、幅方向の断面形状を左右非対称にしてもよい。
【０００９】
このようなブレイド本体の長手方向の断面形状により、水流を受けるブレイドは比較的小さな回転半径で回転する。このような小さな回転半径は水流に対する抵抗を抑え、ルアーへのアクションの付与が容易になる。また、ブレイド本体の幅方向の断面形状によりイレギュラーな回転等を演出し得る。
【００１０】
また、ブレイド本体となる略盾状板の長手方向の断面形状は先端側において平坦化させてもよい。先端側の平坦化したカップ形状がカップ内の水を長手方向に容易に流出させる。
【００１１】
ブレイド本体の先端側においては、略盾状板の一部が切り落とされた切り欠きを形成してもよい。このような切り欠きはブレイド本体の裏面側の水の長手方向への排出路となり、カップ内の水を長手方向に容易に流出させる。
【００１２】
また、ブレイド本体の切り欠きは幅方向中央ほど深い燕尾型としてもよい。このような切り欠きも、ブレイド本体の裏面側の水を長手方向に容易に流出させる。
【発明の効果】
【００１３】
本発明のパーツを用いてルアーに用いると、ルアーにアクションを付与しやすく、魚の興味をより引き立てることができる。
【発明を実施するための最良の形態】
【００１４】
［第１実施形態］
以下、本発明の第１実施形態につき図面を参照しつつ説明する。
【００１５】
本発明に係るルアー用パーツは、図１に示すように、一般に、ブレイドと呼ばれる盾状の薄板型の部材であり、ステンレス，チタン，アルミニウム，スチール等の合金を加工したものである。
【００１６】
このパーツであるブレイドのブレイド本体１となる略盾状板は全体として表面側に凸であり裏面側に凹となる形状である。ブレイド本体１の長手方向の後端には連結用の孔２が打ち抜き加工されている。例えば、この孔２はスプリットリングなどを介してスイベル３に連結される。スイベル３はルアーの他の部分等にさらに連結されることになる。
【００１７】
図２に示すように、ブレイド本体１は、その長手方向の断面の形状は、後端側（スイベル３が連結される側：図２の左側）から先端側（図２の右側）にかけて、殆ど湾曲することなく、平坦化するように加工されている。若しくは、長手方向中央付近から湾曲程度を無くして平滑化してもよい。
【００１８】
図３に示すように、ブレイド本体１は、その幅方向の断面形状が左右非対称である。ブレイド本体１は、その幅方向の断面形状が後端側方向から見て（図３参照）、幅方向中心より左側に変位した位置において、裏面方向に角度をもって折り曲げられている。この折り曲げ程度は長手方向においても変化するようにしてもよい。もっとも、この幅方向の断面形状の左右非対称化は、図３に示すようなものに限定されるものではなく、例えば、その幅方向の断面形状の湾曲が後端側方向から見て（図３参照）、連続的に湾曲し、右側ほど徐々に連続的にカップ状に浅くなるように加工してもよく、若しくは、幅方向中央付近から右側の湾曲程度を無くして平滑化してもよい。ここでは、左側を深いカップに設定しているが、逆に、右側を深いカップに設定してもよい。
【００１９】
さらに、ブレイド本体１の先端側の一部は、略盾状板の一部が切り落とされた切り欠き１ａが形成されている。切り欠き１ａは幅方向に水平に形成しても良いが、幅方向から傾斜して形成してもよい。上述のように幅方向の左側に於いて角度をもってブレイド本体１が折り曲げられている場合においては、左側方向ほどブレイド本体１の長手方向長さが長くなるように、幅方向に傾斜した切り欠き１ａを形成してもよい。なお、このような切り欠きの形成は任意である。
【００２０】
このブレイドは、例えば、図５に示すように、スピナベイトルアー１０のパーツとして用いられる。スピナベイトルアー１０を概説すると、このルアーは、金属ワイヤを折り曲げて形成したワイヤ部１１と、ワイヤ部１１の一端に連結され魚に外形を似せて形成してある本体部１２と、本体部１２に取り付けられた釣針１３と、フラスカート１４とを有する。
【００２１】
ワイヤ部１１の他端はリング状に折り曲げられて連結部分となっており、ここに必要に応じてスイベル３を連結する。そして、さらに、上述のブレイドのブレイド本体１の孔２にスイベル３が連結される。また、ワイヤ部１１の折り曲げ部分に釣糸Ｌを連結する。
【００２２】
このスピナベイト１０は、水中に投じられた後に、釣糸Ｌを引き若しくは巻き上げられると水中を泳動する。このような泳動時においては、ブレイドのブレイド本体１の長手方向の後端側（孔２が形成されている側）から水がブレイド本体１に流れ込む。この長手方向の断面は、図２に示すように、平坦若しくは殆ど平坦であり、ブレイド本体１の裏面側に流れ込んだ水はスムーズに長手方向に於いては流れ出す。他方、図３に示すように、幅方向の断面形状の湾曲は、左側の深い側で水を良く掴み、右側の浅い側では水を受け流す。そして、左側は水から力を受けて、当該回転方向にブレイド本体１が回転する。若しくは、斜め方向からの水流を受ける等して、イレギュラーに回転する。このようなブレイド本体１の長手方向の断面形状により、水流を受けるブレイドは比較的小さな回転半径で回転する（図４参照）。このような小さな回転半径は水流に対する抵抗を抑え、ルアーへのアクションの付与が容易になる。また、幅方向の左右非対称な断面は、イレギュラーな回転をも生じ、魚に強くアピールする。
【００２３】
なお、この実施形態のブレイド本体１のように、その幅方向において角度をもって左右非対称に折り曲げられたものは、光の反射も左右非対称化し、魚の興味をより引き立てる。
【００２４】
［他の実施形態］
（ａ）上述の例では、本発明に係るブレイドをスピナベイトに用いた場合を示しているが、その他のタイプのルアーに適用することも可能である。
【００２５】
その他のタイプのルアーに用いた例の１つとして、ジグ型のルアーに本発明に係るブレイドを用いた場合を図６に示す。このジグ型ルアー２０は、鉛・タングステン・鉄などの比重の大きい金属若しくはこれらの合金からなり外形を魚に似せて形成したルアー本体２１を有している。ルアー本体２１の頭部には釣糸Ｌを連結するための釣糸連結部２２が固定されており、腹部には釣針２３を連結するための釣針連結部２４が固定されている。さらに、ルアー本体２１の尾部側の端部にも、上述の釣糸連結部２２及び釣針連結部２４と同様の連結部２５が固定されており、ここに、ブレイド本体１の連結孔に連結されたスイベル３が連結されている。
【００２６】
このようなジグ型のルアー２０には、水中に投じられた後に、釣糸を釣糸連結部２４に連結して、釣糸を引き若しくは巻き上げられると水中を泳動する。このような泳動時において、上述の実施形態と同様にブレイドが回転する。
【００２７】
（ｂ）さらに、本発明に係るブレイドをスプーン型ルアーに用いることも可能である。図７に、本発明に係るブレイドを利用したスプーン型ルアー３０を示す。ここでは、ブレイドがそのままルアー本体３１を構成する。
【００２８】
この本発明のブレイドを利用したルアー本体３１は略盾状板であり、表面側に凸であり裏面側に凹となる形状である。その長手方向の断面形状や、幅方向断面の形状は上述の第１実施形態に準じるものである。ルアー本体３１の長手方向の後端には連結用の孔３２が打ち抜き加工されており、逆に長手方向の先端にも連結用の孔３３が打ち抜き加工されている。孔３２にはスプリットリングなどを介してスイベル３が連結される。スイベル３はさらに釣糸等に連結される。他方の連結用の孔３３には、釣針３４が連結される。
【００２９】
このようなスプーン型ルアー３０に於いても、ブレイド型のルアー本体３１が水中で流水を受けて、上述の実施形態と同様に回転する。水中での抵抗が過大になることなく、種々のアクションをスプーン型ルアー３０に付与できる。
【００３０】
（ｃ）ブレイドの切り欠きの形状は、図８に示すような燕尾型としてもよい。このブレイドのブレイド本体４１は略盾状板であり、その表面側に凸であり裏面側に凹となる形状である。その長手方向断面における形状は、特に、長手方向の中央付近より先端側（図９の右側）においてのみ湾曲なく平坦化させており、長手方向の後端側（図９の左側）にあっては湾曲するような形状としている。
【００３１】
なお、幅方向断面における形状は上述の第１実施形態に準じるものである。幅方向中央付近を最も深く切り欠くように燕尾状に切り欠きを形成する。
【図面の簡単な説明】
【００３２】
【図１】本発明の第１実施形態を採用したブレイドを示した図。
【図２】図１のII-II断面図。
【図３】図１のIII-III断面図。
【図４】図１のブレイドの水中での動きを示した図。
【図５】図１のブレイドを用いたスピナベイト型ルアーを示した図。
【図６】本発明にかかるブレイド用いたジグ型ルアーを示した図。
【図７】本発明にかかるブレイドを用いたスプーン型ルアーを示した図。
【図８】本発明のブレイドの変形例を示した図。
【図９】図８のIX-IX断面図。
【図１０】従来の一般的なブレイドを示した図。
【図１１】図１０のXI-XI断面図。
【図１２】図１０のブレイドの水中での動きを示した図。
【符号の説明】
【００３３】
１  ブレイド本体
３  スイベル
１０  スピナベイト型ルアー
２０  ジグ型ルアー
３０  スプーン型ルアー
【図１】
2005210950.tif 000003
【図２】
2005210950.tif 000004
【図３】
2005210950.tif 000005
【図４】
2005210950.tif 000006
【図５】
2005210950.tif 000007
【図６】
2005210950.tif 000008
【図７】
2005210950.tif 000009
【図８】
2005210950.tif 000010
【図９】
2005210950.tif 000011
【図１０】
2005210950.tif 000012
【図１１】
2005210950.tif 000013
【図１２】
2005210950.tif 000014